(57)【特許請求の範囲】
【請求項１】
フィルム引き出し機構から引き出されたフィルムをそれぞれ上部から下方への迂回路を経て上部に向うフィルム搬送路が設けられた現像処理タンク、漂白処理タンク、定着処理タンク及び安定処理タンクの順からなる現像処理部に導く写真フィルム自動現像装置において、フィルム引き出し機構は、内部に未現像フィルムを収納したフィルム容器が装填される容器保持テーブルと、フィルムをフィルム容器から現像処理部に向けて水平に引き出し、該現像処理部へ搬送するフィルム搬送ローラと、フィルム容器から外部に引き出されているフィルムの先端部分をフィルム搬送ローラとの間に挟持するための従動ローラと、所定の軸を中心として旋回可能に軸支され、従動ローラを回転可能に保持すると共に、容器保持テーブルとの間でフィルム容器をフィルムの乳剤面が上向きに露出する状態で保持する旋回部材とを具備することを特徴とする写真フィルム自動現像装置。
【請求項２】
容器保持テーブルは、少なくとも第１及び第２のフィルム容器を装填可能であり、第１のフィルム容器に収納されているフィルムの終端は第１のフィルム容器のスプールに固着されており、フィルムが終端まで引き出され、第１のフィルム容器がフィルムの引き出しに従ってフィルム引き出し方向に移動したことを検出し、フィルムの終端近傍を切断することを特徴とする請求項１記載の写真フィルム自動現像装置。
【請求項３】
第１のフィルム容器のフィルム搬送方向の移動を検出する手段として、第１のフィルム容器に当接するレバーを旋回部材に回転可能に設け、検出部材の回転により、ばねで付勢されたカッタの係止を機械的に解除することを特徴とする請求項２記載のフィルム引き出し機構。
【請求項４】
第１のフィルム容器のフィルム搬送方向の移動を検出する手段として、第１のフィルム容器に当接するレバーを旋回部材に回転可能に設け、レバーの回転をセンサにより検出し、電気的にカッタを駆動することを特徴とする請求項２記載の写真フィルム自動現像装置。
【請求項５】
第２のフィルム容器はベース部材及びベース部材に回転可能に軸支されたカバー部材からなるマガジンであり、容器保持テーブルと旋回部材との間に保持された状態で、前記レバーがベース部材の底部及びカバー部材の軸支点とは反対側の端部近傍に当接し、カバー部材を開くことを特徴とする請求項３又は４記載の写真フィルム自動現像装置。
【請求項６】
容器保持テーブルは、それぞれ幅の異なる少なくとも第１の種類のフィルム及び第２の種類のフィルムに対応した第１及び第２のフィルム容器を装填可能であると共に、フィルム引き出し方向に略直交する方向に移動可能であり、フィルム搬送ローラ及び従動ローラはそれぞれ第１の種類のフィルム及び第２の種類のフィルムに対応して少なくとも２組設けられていることを特徴とする請求項１記載の写真フィルム自動現像装置。
【請求項７】
容器保持テーブルに、第１のフィルム容器に収納された第１の種類のフィルムの中心線が第１の種類のフィルムを現像処理するラインの中心線と一致する第１の位置及び第２のフィルム容器に収納された第２の種類のフィルムの中心線が第２の種類のフィルムを現像処理するラインの中心線と一致する第２の位置にそれぞれ停止するように、クリックストップ機構を設けたことを特徴とする請求項６記載の写真フィルム自動現像装置。
【請求項８】
第１の種類のフィルムの終端は第１のフィルム容器のスプールに固着されており、第１のフィルムが終端まで引き出され、第１のフィルム容器が第１の種類のフィルムの引き出しに従ってフィルム引き出し方向に移動したことを検出し、第１の種類のフィルムの終端近傍を切断することを特徴とする請求項６又は７記載の写真フィルム自動現像装置。
【請求項９】
第１のフィルム容器のフィルム搬送方向の移動を検出する手段として、第１のフィルム容器に当接するレバーを旋回部材に回転可能に設け、検出部材の回転により、ばねで付勢されたカッタの係止を機械的に解除することを特徴とする請求項８記載の写真フィルム自動現像装置。
【請求項１０】
第１のフィルム容器のフィルム搬送方向の移動を検出する手段として、第１のフィルム容器に当接するレバーを旋回部材に回転可能に設け、レバーの回転をセンサにより検出し、電気的にカッタを駆動することを特徴とする請求項８記載の写真フィルム自動現像装置。
【請求項１１】
第２のフィルム容器はベース部材及びベース部材に回転可能に軸支されたカバー部材からなるマガジンであり、容器保持テーブルと旋回部材との間に保持された状態で、前記レバーがベース部材の底部及びカバー部材の軸支点とは反対側の端部近傍に当接し、カバー部材を開くことを特徴とする請求項９又は１０記載の写真フィルム自動現像装置。
【請求項１２】
少なくとも容器保持テーブルの移動方向における第１のフィルム容器と第２のフィルム容器の最大寸法がほぼ等しいことを特徴とする請求項２から１１のいずれかに記載の写真フィルム現像装置。
【請求項１３】
容器保持テーブルは、少なくとも第１のフィルム容器及び第２のフィルム容器のいずれか一方を固定するための固定部材を有することを特徴とする請求項２から１２のいずれかに記載の写真フィルム自動現像装置。
【発明の詳細な説明】
【０００１】
【発明の属する技術分野】
本発明は、１３５サイズフィルムと新写真システム（Ａｄｖａｎｃｅｄ  Ｐｈｏｔｏ  Ｓｙｓｔｅｍ：以下、ＡＰＳとする）フィルムの現像処理が可能な写真フィルム自動現像装置、特に、いわゆるリーダレスタイプの装置のフィルム引き出し機構に関する。
【０００２】
【従来の技術】
従来より現像所等で用いられているリーダを用いた写真フィルム自動現像装置では、フィルム先端を粘着テープ等によりフィルム幅よりも幅の広いリーダに固着し、現像処理工程に設けられた所定のフィルム搬送路に沿ってリーダを搬送させながら、リーダに追従したフィルムの現像処理を行っていた。従って、リーダ幅よりも幅の狭いフィルムであれば現像可能であり、例えば１３５サイズフィルムとＡＰＳフィルムを２本並べて同時に現像することも可能である。
【０００３】
一方、近年のＡＰＳカメラの普及により、専門の現像所だけでなく、ＤＰＥ取扱店の店頭においても、同じ装置で１３５サイズフィルムとＡＰＳフィルムの現像処理が可能な写真フィルム自動現像装置が求められている。
【０００４】
ＤＰＥ取扱店等では、作業者がフィルムの取り扱いや現像処理等に不慣である場合が多く、装置の取り扱いが容易であることが要求される。そのため、従来よりＤＰＥ取扱店等に設置されている１３５サイズフィルム用の写真フィルム自動現像装置では、フィルム先端をリーダに固着する工程を省略し、フィルムカートリッジ（フィルムメーカーから出荷された際の金属製のケース：パトローネとも言う）を直接装填し、フィルムカートリッジからフィルムを自動的に引き出し、フィルム終端部を切断して現像処理工程に搬送するように構成されている（上記のように、リーダレスタイプと呼ばれる）。
【０００５】
図１０に示す従来のリーダレスタイプの写真フィルム自動現像装置では、フィルムカートリッジ１からフィルム３を引き出すためのフィルム引き出し部７００と、引き出されたフィルム３を現像処理する現像処理部８００と、現像処理されたフィルムを乾燥する乾燥部９００等で現像処理ラインを構成している。
【０００６】
フィルム引き出し部７００は、フィルムカートリッジ１を保持するための容器保持部７０１と、フィルムカートリッジ１から外部に引き出されているフィルム３の先端部分を挟持し、フィルム３をフィルムカートリッジ１から引き出して現像処理部８００に搬送するフィルム搬送ローラ７０２及び従動ローラ７０３と、１３５サイズフィルムの終端部分を切断しフィルムカートリッジ１からフィルム３を切り離すためのカッタ７０４等で構成されている。
【０００７】
現像処理部８００は、現像液が充填された現像処理タンク８０１と、漂白液が充填された漂白処理タンク８０２と、定着液が充填された定着処理タンク８０３及び８０４と、安定液が充填された安定処理タンク８０５、８０６及び８０７等で構成されている。また、各処理タンク８０１〜８０７の内部及び各処理タンクの上部にはフィルム搬送路８１０が設けられている。
【０００８】
乾燥部９００は、現像処理されたフィルムを乾燥するための乾燥室９０１と、乾燥室９０１に温風を吹き出すためのブロワ９０２と、フィルム３を搬送する搬送路９０３等で構成されている。
【０００９】
図１０から明らかなように、従来の写真フィルム自動現像装置では、フィルムカートリッジ１はフィルムの乳剤面が内側になるように装填され、現像処理部８００の各処理液槽８０１〜８０７では、乳剤面が外側になるように搬送される。
【００１０】
【発明が解決しようとする課題】
一般に、ＤＰＥ取扱店の店頭等では装置の設置スペースに制限があるため、装置の小型化が要求されている。また、環境保全の観点から、現像処理に使用した廃液の量をできるだけ少なくすることが求められている。
【００１１】
しかしながら、周知のようにＡＰＳフィルムは１３５サイズフィルムよりも幅が狭いので、上記１３５サイズフィルムの現像処理ラインでは、ＡＰＳフィルムの両側部をガイド溝３５によりガイドすることができず、現像処理工程中をフィルム搬送路に沿って搬送することができない。従って、リーダレスタイプの写真フィルム現像処理装置で１３５サイズフィルムとＡＰＳフィルムを現像処理しようとすれば、それぞれ専用の現像処理ラインを必要とする。
【００１２】
一方、ＡＰＳでは、フィルムカートリッジ（フィルムメーカーから出荷された際の樹脂製のケース）は未現像のフィルムの感光防止のためだけでなく、現像後のフィルムの保管にも使用される。すなわち、現像後のフィルムをフィルムカートリッジに再収納するようにしており、フィルムカートリッジは廃棄することができない。そこで、ＡＰＳフィルムの現像処理を行う場合、従来より現像所では、暗室等においてＡＰＳフィルムを一旦専用マガジンに移し替え、専用マガジンを写真フィルム自動現像装置に装填することが行われている。
【００１３】
従って、単純に１３５サイズフィルムの現像処理ラインとＡＰＳフィルムの現像処理ラインを並列した場合例えば図１１に示すように、各現像処理ラインの中心線Ｌ１とＬ２の間隔Ｓ１は、フィルムカートリッジ１及び専用マガジン２の最大幅Ｄ１及びＤ２により制限され、一定以下には狭くすることができす、実質的に写真フィルム自動現像装置を２台設置した場合と差異はなく、装置の小型化を達成できないと言う問題点を有していた。
【００１４】
また、フィルムを均一に現像処理するためには、各処理液槽８０１〜８０７中において、循環された処理液が乳剤面に直接触れるように構成しなければならない。ところが、図１０に示す従来の写真フィルム自動現像装置では、現像処理部８００の各処理液槽８０１〜８０７中をフィルムの乳剤面が外向きとなるように搬送されていたため、処理液の循環経路を確保すべく、各処理液槽の側壁とフィルム搬送路との間に一定以上の間隔を確保する必要があった。そのため、図１０中紙面に平行な方向における各処理液槽８０１〜８０７の大きさを一定以下に小さくすることは不可能であった。
【００１５】
これらの問題点は、写真フィルム自動現像装置におけるデッドスペースの増加のみならず、現像処理工程における各処理液槽の容量の増加、ひいては廃液量の増加という問題点を派生する。
【００１６】
本発明は、上記従来例の問題を解決するためになされたものであり、１台の写真フィルム自動現像装置において、１３５サイズフィルムやＡＰＳフィルムのようなフィルム幅の異なる複数種類のフィルムの現像処理を可能とすると共に、装置の小型化及び処理液の少量化を可能とする写真フィルム自動現像装置のフィルム引き出し機構を提供することを目的としている。
【００１７】
【課題を解決するための手段】
上記目的を達成するため、本発明の写真フィルム自動現像装置は、フィルム引き出し機構から引き出されたフィルムをそれぞれ上部から下方への迂回路を経て上部に向かうフィルム搬送路が設けられた現像処理タンク、漂白処理タンク、定着処理タンク及び安定処理タンクの順からなる現像処理部に導く写真フィルム処理装置において、フィルム引き出し機構は、内部に未現像フィルムを収納したフィルム容器が装填される容器保持テーブルと、フィルムをフィルム容器から現像処理部に向けて水平に引き出し、現像処理部へ搬送するフィルム搬送ローラと、フィルム容器から外部に引き出されているフィルムの先端部分をフィルム搬送ローラとの間に挟持するための従動ローラと、所定の軸を中心として旋回可能に軸支され、従動ローラを回転可能に保持するとともに、容器保持テーブルとの間でフィルム容器をフィルムの乳剤面が上向きに露出する状態で保持する旋回部材とを具備することを特徴とする。
【００１８】
この構成によれば、従来例とは逆に乳剤面が外側（上向き）となるようにフィルム容器がフィルム引き出し機構に装填され、その状態でフィルムが引き出されるので、現像処理部に搬送されたフィルムは乳剤面がフィルム搬送機構の内側を向く。従って、現像処理部の各処理液槽の側壁とフィルム搬送路との間に処理液の循環経路を確保する必要はなく、各処理液槽の側壁とフィルム搬送路を近接させることが可能となる。その結果、各処理液槽の容量を小さくすることが可能となると共に、写真フィルム自動現像装置におけるデッドスペースを小さくし、廃液量を少なくすることが可能となる。
【００１９】
上記構成において、容器保持テーブルは、少なくとも第１及び第２のフィルム容器を装填可能であり、第１のフィルム容器に収納されているフィルムの終端は第１のフィルム容器のスプールに固着されており、フィルムが終端まで引き出され第１のフィルム容器がフィルムの引き出しに従ってフィルム引き出し方向に移動したことを検出し、フィルムの終端近傍を切断するように構成しても良い。
【００２０】
さらに、第１のフィルム容器のフィルム搬送方向の移動を検出する手段として、第１のフィルム容器に当接するレバーを旋回部材に回転可能に設け、検出部材の回転により、ばねで付勢されたカッタの係止を機械的に解除するように構成しても良い。
【００２１】
あるいは、第１のフィルム容器のフィルム搬送方向の移動を検出する手段として、第１のフィルム容器に当接するレバーを旋回部材に回転可能に設け、レバーの回転をセンサにより検出し、電気的にカッタを駆動するように構成しても良い。
【００２２】
これらの構成により、一般的な１３５サイズフィルムのフィルム装填動作が容易になり、ＤＰＥ取扱店等におけるフィルムの取り扱いや現像処理等に不慣れな作業者であっても、失敗することなく現像処理を行うことが可能となる。
【００２３】
また、上記各構成において、第２のフィルム容器はベース部材及びベース部材に回転可能に軸支されたカバー部材からなるマガジンであり、容器保持テーブルと旋回部材との間に保持された状態で、前記レバーがベース部材の底部及びカバー部材の軸支点とは反対側の端部近傍に当接し、カバー部材を開くように構成しても良い。この構成により、例えば１３５サイズのフィルムカートリッジが破損している場合や、１３５サイズフィルムとフィルム幅が等しい１２６サイズフィルム等を現像処理することが可能となる。
【００２４】
また、上記構成において、容器保持テーブルは、それぞれ幅の異なる少なくとも第１の種類のフィルム及び第２の種類のフィルムに対応した第１及び第２のフィルム容器を装填可能であると共に、フィルム引き出し方向に略直交する方向に移動可能であり、フィルム搬送ローラ及び従動ローラはそれぞれ第１の種類のフィルム及び第２の種類のフィルムに対応して少なくとも２組設けるように構成しても良い。この構成により、同じ写真フィルム自動現像装置で、例えば１３５サイズフィルム（第１の種類のフィルムの一例）とＡＰＳフィルム（第２の種類のフィルムの一例）等のフィルム幅の異なる２種類以上のフィルムを現像処理することができると共に、第１のフィルム容器及び第２のフィルム容器の大きさの影響を受けることなく、写真フィルム自動現像装置のフィルム引き出し方向に直交する方向の幅を最狭にすることが可能となる。
【００２５】
また、上記構成において、容器保持テーブルに、第１のフィルム容器に収納された第１の種類のフィルムの中心線が第１の種類のフィルムを現像処理するラインの中心線と一致する第１の位置及び第２のフィルム容器に収納された第２の種類のフィルムの中心線が第２の種類のフィルムを現像処理するラインの中心線と一致する第２の位置にそれぞれ停止するように、クリックストップ機構を設けてもよい。この構成により、容器保持テーブルの位置決めが容易になり、第１の種類のフィルムと第２の種類のフィルムが混在する場合であっても、フィルムの現像処理をスムーズに行うことが可能となる。
【００２６】
また、上記構成において、第１の種類のフィルムの終端は第１のフィルム容器のスプールに固着されており、第１のフィルムが終端まで引き出され、第１のフィルム容器が第１の種類のフィルムの引き出しに従ってフィルム引き出し方向に移動したことを検出し、第１の種類のフィルムの終端近傍を切断するように構成しても良い。
【００２７】
さらに、第１のフィルム容器のフィルム搬送方向の移動を検出する手段として、第１のフィルム容器に当接するレバーを旋回部材に回転可能に設け、検出部材の回転により、ばねで付勢されたカッタの係止を機械的に解除するように構成しても良い。
【００２８】
あるいは、第１のフィルム容器のフィルム搬送方向の移動を検出する手段として、第１のフィルム容器に当接するレバーを旋回部材に回転可能に設け、レバーの回転をセンサにより検出し、電気的にカッタを駆動するように構成しても良い。
【００２９】
さらに、第２のフィルム容器はベース部材及びベース部材に回転可能に軸支されたカバー部材からなるマガジンであり、容器保持テーブルと旋回部材との間に保持された状態で、前記レバーがベース部材の底部及びカバー部材の軸支点とは反対側の端部近傍に当接し、カバー部材を開くように構成しても良い。
【００３０】
また、上記各構成において、少なくとも容器保持テーブルの移動方向における第１のフィルム容器と第２のフィルム容器の最大寸法がほぼ等しくなるように構成してもよい。この構成により、第１のフィルム容器及び第２のフィルム容器をそれぞれ容器保持テーブルに安定して保持することが可能となる。
【００３１】
また、上記各構成において、容器保持テーブルは、少なくとも第１のフィルム容器及び第２のフィルム容器のいずれか一方を固定するための固定部材を有するように構成しても良い。この構成により、各フィルム容器から引き出されているフィルムの端部のカールがきつい場合であっても、フィルムの弾性によるフィルム容器の動きを抑制することが可能となる。
【００３２】
【発明の実施の形態】
本発明の一実施形態について、図１から図９を参照しつつ説明する。図１は本発明のフィルム引き出し機構を用いたリーダレスタイプの写真フィルム自動現像装置の構成を示す断面図、図２は本実施形態のフィルム引き出し機構に１３５サイズフィルムカートリッジを装填し、フィルム引き出し中の状態を示す側部断面図、図３は１３５サイズフィルムの終端を切断した状態を示す側部断面図、図４は１３５サイズフィルムを装填した状態を示す平面図である。図５はフィルム引き出し機構の容器保持テーブルの右側壁を示す図、図６は容器保持テーブルの左側壁の形状を示す図である。図７は本実施形態のフィルム引き出し機構にＡＰＳフィルムカートリッジを装填した状態を示す側部断面図、図８はその平面図である。また、図９は専用マガジンの構成を示す図であり、（ａ）はマガジンを全開した状態、（ｂ）はマガジンを閉じた状態、（ｃ）はフィルムの引き出しが可能なように、マガジンを半開した状態を示す。
【００３３】
図１に示すように、本実施形態の写真フィルム自動現像装置の現像処理ラインは、フィルムカートリッジ１（又は専用マガジン２：図９参照）からフィルム３Ａ，３Ｂを引き出すためのフィルム引き出し部１００と、引き出されたフィルム３Ａ，３Ｂを現像処理する現像処理部２００と、現像処理されたフィルムを乾燥する乾燥部３００と、現像処理するフィルム３Ａ又は３（Ｂの端部を平坦化するためのフィルム端部処理部４００と、フィルム引き出し部（フィルム引き出し機構）１００、現像処理部２００、乾燥部３００等を制御するための制御部５００等で構成されており、紙面に垂直な方向に複数ライン（例えば２ライン）設けられている。
【００３４】
フィルム引き出し部１００は、写真フィルム自動現像装置の外装を兼ねるカバー部材１０１と、フィルムカートリッジ１（又は専用マガジン２）を保持するためのホルダーとして機能する容器保持テーブル１０及び旋回部材１０２と、フィルムカートリッジ１又は専用マガジン２から外部に引き出されているフィルム３Ａ又は３Ｂの先端部分を挟持し、フィルム３Ａ又は３Ｂをフィルムカートリッジ１又は専用マガジン２から引き出して現像処理部２００に搬送するフィルム搬送ローラ１０３及び従動ローラ１０４と、カバー部材１０１をロックするためのカバーロック機構１０５と、例えば１３５サイズフィルムの終端部分を切断しフィルムカートリッジ１からフィルム３Ａを切り離すためのカッタ１０６、フィルム３Ａ又は３Ｂの先端及び終端の通過を検出するためのフィルム検出センサ１０７等で構成されている。なお、図７及び図８に示すように、ＡＰＳフィルム３Ｂの現像処理ラインにはカッタ１０６は設けられていない。フィルム搬送ローラ１０３はモータ等により所定方向に回転され、フィルム３Ａ，３Ｂを現像処理部２００に搬送する。従動ローラ１０４は内カバー１０２に保持されており、内カバー１０２を閉じた状態でフィルム３Ａ，３Ｂをフィルム搬送ローラ１０３に押しつける。
【００３５】
現像処理部２００は、現像液が充填された現像処理タンク２０１と、漂白液が充填された漂白処理タンク２０２と、定着液が充填された定着処理タンク２０３及び２０４と、安定液が充填された安定処理タンク２０５、２０６及び２０７等で構成されている。また、各処理タンク２０１〜２０７の内部及び各処理タンクの上部にはフィルム搬送路２１０が設けられている。
【００３６】
乾燥部３００は、現像処理されたフィルムを乾燥するための乾燥室３０１と、乾燥室３０１に温風を吹き出すためのブロワ３０２と、フィルム３Ａ，３Ｂを搬送する搬送路３０３等で構成されている。
【００３７】
図４に示すように、本実施形態の場合、右側の第１の現像処理ライン（中心線Ｌ１）は１３５サイズフィルム３Ａ（第１の種類のフィルムの一例）の現像処理用（以下、現像処理ラインＬ１と称する）であり、また左側の第２の現像処理ライン（中心線Ｌ２）はＡＰＳフィルム３Ｂ（第２の種類のフィルムの一例）の現像処理用（以下、現像処理ラインＬ２と称する）とする。
【００３８】
ガイドレール２０は、第１の現像処理ラインＬ１及び第２の現像処理ラインＬ２の配列方向（フィルム引き出し方向に略直交する方向）に設けられている。フィルムカートリッジ１（第１のフィルム容器の一例）又は専用マガジン２（第２のフィルム容器の一例）を保持するための容器保持テーブル１０は、図４中矢印Ｈで示す方向にガイドレール２０上を摺動可能であり、例えばばね及びボール等で構成されたクリックストップ機構１１（図５参照）により、その中心線が各現像処理ラインＬ１又はＬ２の中心線上に位置するように停止する。
【００３９】
また、第１及び第２の現像処理ラインＬ１及びＬ２のそれぞれのガイド溝３５の部分であって、フィルム搬送ローラ１０３の近傍にはフィルム検出センサ１０７が設けられている。なお、幅の狭いＡＰＳフィルム３Ｂは誤って１３５サイズフィルム用の現像処理ラインＬ１に挿入可能である。そのため、誤挿入を防止すべく、１３５サイズフィルム用の第１の現像処理ラインＬ１には、フィルム検出センサ１０７が２箇所設けられている。すなわち、図４に示すように、１３５サイズフィルム３Ａを正しく挿入した場合にのみ２つのフィルム検出センサ１０７の両方が同時にオンするので、フィルムが全く挿入されていない場合や、ＡＰＳフィルム３Ｂが挿入された場合と区別することが可能となる。従って、制御部５００は、２つのフィルム検出センサ１０７が同時にオンしている場合にのみ、１３５サイズフィルム用の第１の現像処理ラインＬ１のフィルム搬送ローラ１０３を駆動するように構成されている。また、１３５サイズフィルム用の第１の現像処理ラインＬ１には、フィルム３Ａの後端近傍を切断するために、カッタ１０６を突出させるための開口１０６ａが設けられている。
【００４０】
図２、図３及び図７に示すように、旋回部材１０２には、第１の現像処理ラインＬ１と第２の現像処理ラインＬ２のそれぞれに対して第１の腕１５０ａ及び第２の腕１５０ｂを有し、フィルムカートリッジ１や専用マガジン２等のフィルム容器に当接する当接レバー１５０Ａ及び１５０Ｂが軸１５１を中心として回転可能に軸支されている。図２及び図３に示す第１の現像処理ラインＬ１用の当接レバー１５０Ａの第２の腕１５０ｂには、紙面に対して略垂直方向にピン１５２が植設されている。
【００４１】
前述のように１３５サイズフィルム用の第１の現像処理ラインＬ１には、フィルム終端近傍を切断するためのカッタ１０６が設けられている。カッタ１０６は、引っ張りコイルばね１５３によりフィルム３Ａを切断する方向に付勢されており、係止レバー１５４により係止されている。係止レバー１５４は軸１５５を中心として回転可能に軸支されており、引っ張りコイルばね１５６等によりカッタ１０６を係止する方向に付勢されている。当接レバー１５０Ａと係止レバー１５４との間には、当接レバー１５０Ａの動きを係止レバー１５４に伝達するための伝達レバー１５７が設けられている。伝達レバー１５７は、軸１５８を中心として回転可能に軸支されており、引っ張りコイルばね１５９によりピン１５２と当接する方向に付勢されている。また、係止レバー１５４にはピン又は突起等の当接部１５４ａが設けられており、伝達レバー１５７の突起１５４ａと対向する部分（折り曲げ部１５７ａ）は当接部１５４ａと当接可能なように折り曲げられている。
【００４２】
なお、旋回部材１０２を容器保持テーブル１０と一体的に移動可能とし、レバー１５０Ａと１５０Ｂを同一部材で兼用するように構成しても良い。また、各引っ張りコイルばね１５６及び１５９の代わりに、ねじりコイルばねを用いても良い。さらに、カッタ１０６の復帰動作及びばね１５３のチャージは、図示しないリンク機構等により、カバー部材１０１の開閉動作に連動して行われる。
【００４３】
次に、１３５サイズフィルム３Ａの終端近傍を切断する動作について説明する。フィルムカートリッジ１から引き出されたフィルム３Ａは、フィルム搬送ローラ１０３の駆動力により、現像処理部２００（図１参照）に搬送される。１３５サイズフィルムの場合、フィルム３Ａの終端部はフィルムカートリッジ１のスプール軸に固着されている。そのため、フィルムカートリッジ１からフィルム３Ａが全て引き出されると、図３に示すように、フィルム搬送ローラ１０３の駆動力により、フィルムカートリッジ１がフィルム引き出し方向に引っ張られる。
【００４４】
フィルムカートリッジ１が図中右方向に移動すると、当接レバー１５０Ａが反時計方向に回転し、ピン１５２に当接している伝達レバー１５７が時計方向に回転する。伝達レバー１５７が時計方向に回転すると、その折り曲げ部１５７ａが係止レバー１５４の当接部１５４ａと当接し、係止レバー１５４を時計方向に回転する。係止レバー１５４が所定角度以上回転すると、係止レバー１５４の係止部１５４ｂがカッタ１０６から離れる。係止レバー１５４による係止が解除されると、カッタ１０６はばね１５３の付勢力により図中上方に移動し、フィルム３Ａを切断する。その結果、フィルム３Ａはフィルムカートリッジ１から分離される。
【００４５】
一方、ＡＰＳフィルム等ようにフィルムが専用マガジン２に収納されている場合について説明する。図９に示すように、専用マガジン２はベース部材２ａ及びベース部材２ａに回転可能に軸支されたカバー部材２ｂからなり、ベース部材２ａとカバー部材２ｂは２段階のクリックストップを有している。図２中、（ａ）は全開状態を示し、（ｂ）は第２段のクリックストップ状態であるに閉状態を示す。また、（ｃ）は、第１段のクリックストップ状態である半開状態を示す。通常暗室等において、（ａ）に示す全開状態でＡＰＳ用フィルムマガジンからフィルム３Ｂを移し替え、（ｂ）に示す閉状態で暗室から取り出す。この状態では専用マガジン２の内部は完全に遮光されている。そして、図７に示すように、専用マガジン２を閉じた状態で容器保持テーブル１０に装填される。専用マガジン２を半開状態にするには、図９（ｂ）において矢印Ａ及びＢで示すように、ベース部材２ａとカバー部材２ｂとをそれぞれ反対方向に付勢し、第２段のクリックストップを解除する。
【００４６】
なお、図２（ｂ）に示す閉状態でも無理にフィルム３ｂを引っ張れば、フィルム３Ｂを専用カートリッジ２から引き出すことは可能である。しかしながら、専用マガジン２は反復使用され、フィルム引き出し部分２ｃに傷やほこり等が付いている可能性があり、そのまま引き出すとフィルム３Ｂの表面に傷がつくおそれがある。そのため、フィルム３Ｂをスムーズに引き出すため、専用マガジン２を半開状態にする必要がある。これに対して、１３５サイズフィルムのフィルムカートリッジの場合、通常は使い捨てにされるので、直接フィルムカートリッジ１からフィルム３Ａを引き出しても、フィルム３Ａの表面に傷が付くことはほとんどない。
【００４７】
図７に示すように、専用マガジン２を容器保持テーブル１０と旋回部材１０２との間で保持すると、当接レバー１０５Ｂの第１の腕１５０ａがベース部材２ａの底部に当接し、第２の腕１５０ｂがカバー部材２ｂの軸支点とは反対側の端部近傍に当接し、それぞれ反対方向に付勢する。その結果、専用マガジン２を半開状態にすることが可能となる。
【００４８】
なお、専用マガジン２としては、ＡＰＳフィルム用の他に前述の１３５サイズフィルム用や１２６サイズフィルム用等がある。１２６サイズフィルムの幅は１３５サイズフィルムと同じ３５ミリであるため、１３５サイズフィルム用現像処理ラインＬ１により現像処理が可能である。従って、これらの各フィルム用の専用マガジン２の各部分の最大寸法を１３５サイズフィルム用のフィルムマガジン１とほぼ同じ寸法とすることにより、同じ容器保持テーブル１０により、いろいろなフィルム容器を安定して保持することが可能となる。
【００４９】
図５に示すように、容器保持テーブル１０の右側壁１２には、例えば１２６サイズフィルム用専用マガジンを係合保持するための溝１２ａが形成されている。また、図６に示すように、容器保持テーブル１０の左側壁１３には、フィルムカートリッジ１の一部に当接し、フィルムカートリッジ１の動きを抑制するための、ばね１５により付勢されたアーム１４が設けられている。
【００５０】
本実施形態の動作について説明する。図４に示すように、１３５サイズフィルム３Ａを現像処理する場合、あらかじめフィルム端部処理部４００により、先端の幅が狭くなった部分を切断し、フィルム３Ａの幅を均一にしておく。また、容器保持テーブル１０は、クリックストップ機構１１により、その中心が１３５サイズフィルム用の第１の現像処理ラインＬ１の中心線上に位置するように位置決めし、停止させておく。
【００５１】
次に、カバー部材１０１及び旋回部材１０２を開いた状態で、フィルム３Ａの乳剤面が外側を向くようにしてフィルムカートリッジ１を容器保持テーブル１０に装着する。このとき、フィルム３Ａの先端部分は、フィルム搬送ローラ１０３に達するように、あらかじめ所定長さだけ引き出されているものとする。この時、フィルム３Ａの先端部のカール（特に、乳剤面が外側となる逆カール）がきつい場合、フィルム３の弾性により、フィルムカートリッジが回転しようとする。しかしながら、フィルムカートリッジ１の一部が前述のアーム１４によりその動きを制限されているため、フィルムカートリッジ１は回転せず、逆にフィルム３Ａの先端部が、そのカールを伸ばす方向に付勢される。
【００５２】
この状態で旋回部材１０２を閉じると、フィルム３Ａの先端部がフィルム搬送ローラ１０３と従動ローラ１０４との間に挟持される。さらに、カバー部材１０１を閉じると、カバーロック機構１０５により外カバー１０１がロックされ、カバー部材１０１の内側、すなわちフィルム引き出し機構１００が遮光される。その結果、フィルム３Ａをフィルムカートリッジ１から引き出し可能な状態になる。図示しないカバーセンサによりカバー部材１０１が閉じられたことを検出すると、制御部５００はフィルム搬送ローラ１０３を駆動し、フィルム３Ａをフィルムカートリッジ１から引き出すと共に、ガイド溝や搬送ローラ３７等で構成されるフィルム搬送路２１０に侵入させる。
【００５３】
なお、誤ってＡＰＳフィルム用の専用マガジン２を容器保持テーブル１０に装填した場合、ＡＰＳフィルム３Ｂの幅は１３５サイズフィルム３Ａの幅よりも狭いので、ＡＰＳフィルム３Ｂの先端部は２つのフィルム検出センサ１０７の内いずれか一方又は両方フィルム検出センサ１０７の検出領域にはかからない。そのため、制御部５００は２つのフィルム検出センサ１０７の出力を比較することにより、正しく１３５サイズフィルム３Ａが装填されたか否かを判別することができる。１３５サイズフィルム３Ａが正しく装填されていない場合は、制御部５００はフィルム搬送ローラ１０３の駆動を停止し、警告を発生する。
【００５４】
１３５サイズフィルム３Ａの終端はフィルムカートリッジ１のスプールに固着されているため、フィルム３Ａのほぼ全てフィルムカートリッジ１から引き出されると、フィルム３Ａが突っ張った状態となり、フィルムカートリッジ１が当接レバー１５０Ａを回転させる。前述のように、当接レバー１５０Ａの回転に伴い、伝達レバー１５７及び係止レバー１５４が順次回転してカッタ１０６を作動させ、フィルム３Ａの終端部近傍を切断する。フィルム３Ａの終端がフィルム検出センサ１０７の検出領域を通過すると、フィルム検出センサ１０７からの出力信号が変化するため、制御部５００はフィルム３Ａの全体が現像処理部２００に搬送されたことを知る。
【００５５】
現像処理部２００のフィルム搬送路２１０には、一定間隔で搬送ローラ３７等が設けられているので、フィルムカートリッジ１から引き出され、現像処理部２００に搬送されたフィルム３Ａは、フィルム搬送路２１０に沿って乳剤面を内側にして各処理液槽２０１〜２０７中を搬送され、現像処理を受ける。現像処理されたフィルム３は乾燥部３００に搬送され、乾燥された後、装置外部に排出される。
【００５６】
ＡＰＳフィルム３Ｂを現像処理する場合、専用マガジン２から引き出されているフィルム３Ｂの終端部近傍を、あらかじめフィルム端部処理部４００によりヒートプレスし、平坦化処理を行う。また、容器保持テーブル１０は図８に示すように、クリックストップ機構１１により、その中心がＡＰＳフィルム用の第２の現像処理ラインＬ２の中心線上に位置するように位置決めし、停止させておく。
【００５７】
次に、外カバー１０１及び内カバー１０２を開いた状態で、フィルム３Ｂの乳剤面が外側を向くようにして専用カートリッジ２を容器保持テーブル１０に装着する。このとき、フィルム３Ｂの先端部分は、フィルム搬送ローラ１０３に達するように、あらかじめ所定長さだけ引き出されているものとする。
【００５８】
この状態で内カバー１０２を閉じると、１３５サイズフィルム３Ａの場合と同様に、フィルム３Ｂの先端部がフィルム搬送ローラ１０３と従動ローラ１０４との間に挟持される。さらに、外カバー１０１を閉じると、カバーロック機構１０５により外カバー１０１がロックされ、外カバー１０１の内側、すなわちフィルム引き出し部１００が遮光される。同時に、専用マガジン２のカバー部材２ｂが開かれ、フィルム３Ｂを専用マガジン２から引き出し可能な半開状態になる。図示しないカバーセンサにより外カバー１０１が閉じられたことを検出すると、制御部５００は、フィルム搬送ローラ１０３を駆動し、フィルム３Ｂを専用マガジン２から引き出すと共に、ガイド溝や搬送ローラ３７等で構成されるフィルム搬送路２１０に侵入させる。なお、誤って１３５サイズフィルム３Ａのフィルムカートリッジ１を容器保持テーブル１０に装填した場合、１３５サイズフィルム３Ａの幅はＡＰＳフィルム３Ｂの幅よりも広いので、フィルム３Ａの先端部をガイド溝３５に挿入することができず、作業者は操作の誤りに気づく。
【００５９】
ＡＰＳフィルム３Ｂの先端は専用マガジン２のスプール軸には固着されていないので、フィルム３Ｂが全て専用マガジン２から引き出されても、フィルム３Ｂは突っ張ることなく、そのまま現像処理部２００に搬送される。フィルム３Ｂの終端がフィルム検出センサ１０７の検出領域を通過すると、フィルム検出センサ１０７からの出力信号が変化するため、制御部５００はフィルム３Ｂの全体が現像処理部２００に搬送されたことを知る。以下の現像処理及び乾燥は１３５サイズフィルム３Ａの場合と同様である。
【００６０】
なお、上記実施形態では、１３５サイズフィルム３Ａの容器としてフィルムカートリッジ１を用いた場合を示したが、これに限定されるものではなく、フィルムカートリッジ１が破損した場合等に用いられる専用カートリッジ（図示せず）であっても同様である。また、フィルムの種類は１３５サイズフィルム、１２６サイズフィルム及びＡＰＳフィルムを例示したが、これに限定されるものではなく、その他市販されているフィルムサイズや、将来開発される新規なフィルムサイズにも本発明を適応しうることは言うまでもない。
【００６１】
また、１３５サイズフィルム３Ａの終端部近傍を切断する方法として、フィルムカートリッジ１の動作を当接レバー１５０Ａ及び伝達レバー１５７により係止レバー１５４に伝達し、機械的にカッタ１０６の係止を解除するように構成したが、これに限定されるものではなく、当接レバー１５０Ａの動きを、例えば光学的センサ等で検出し、モータや電磁石等の電気的機構を用いてカッタ１０６を動作させるように構成しても良い。
【００６２】
【発明の効果】
以上説明したように、本発明のフィルム引き出し機構によれば、内部に未現像フィルムを収納したフィルム容器が装填される容器保持テーブルと、フィルムをフィルム容器から引き出し現像処理部へ搬送するフィルム搬送ローラと、フィルム容器から外部に引き出されているフィルムの先端部分をフィルム搬送ローラとの間に挟持するための従動ローラと、所定の軸を中心として旋回可能に軸支され、従動ローラを回転可能に保持するとともに、容器保持テーブルとの間でフィルム容器をフィルムの乳剤面が外向きに露出する状態で保持する旋回部材とを具備するので、乳剤面が外側となるようにフィルム容器〜フィルムが引き出され、現像処理部に搬送されたフィルムは乳剤面がフィルム搬送路の内側を向く。従って、現像処理部の各処理液槽の側壁とフィルム搬送路との間に処理液の循環経路を確保する必要はなく、各所利益槽の側壁とフィルム搬送路を近接させることができる。その結果、各処理液槽の容量を小さくすることができ、写真フィルム自動現像装置におけるデッドスペースを小さくし、また廃液量を少なくすることが可能となる。
【００６３】
また、容器保持テーブルを、少なくとも第１及び第２のフィルム容器を装填可能とし、第１のフィルム容器に収納されているフィルムは、その終端が第１のフィルム容器のスプールに固着されたものであって、フィルムが終端まで引き出され第１のフィルム容器がフィルムの引き出しに従ってフィルム引き出し方向に移動したことを、旋回部材に回転可能に設けられたレバーで検出し、レバーの回転により、ばねで付勢されたカッタの係止を機械的に解除するか、あるいはレバーの回転をセンサにより検出し、電気的にカッタを駆動することにより、一般的な１３５サイズフィルムのフィルム装填動作が容易になり、ＤＰＥ取扱店等におけるフィルムの取り扱いや現像処理等に不慣れな作業者であっても、失敗することなく現像処理を行うことが可能となる。
【００６４】
また、第２のフィルム容器をベース部材及びベース部材に回転可能に軸支されたカバー部材からなるマガジンとし、容器保持テーブルと旋回部材との間に保持された状態で、前記レバーがベース部材の底部及びカバー部材の軸支点とは反対側の端部近傍に当接し、カバー部材を開くように構成することにより、例えば１３５サイズのフィルムカートリッジが破損している場合や、１３５サイズフィルムとフィルム幅が等しい１２６サイズフィルム等を現像処理することが可能となる。
【００６５】
また、容器保持テーブルを、それぞれ幅の異なる少なくとも第１の種類のフィルム及び第２の種類のフィルムに対応した第１及び第２のフィルム容器を装填可能で、かつフィルム引き出し方向に略直交する方向に移動可能とし、フィルム搬送ローラ及び従動ローラをそれぞれ第１の種類のフィルム及び第２の種類のフィルムに対応して少なくとも２組設けることにより、同じ写真フィルム自動現像装置で、例えば１３５サイズフィルムとＡＰＳフィルム等のフィルム幅の異なる２種類以上のフィルムを現像処理することが可能となる。さらに、第１のフィルム容器及び第２のフィルム容器の大きさの影響を受けることなく、写真フィルム自動現像装置のフィルム引き出し方向に直交する方向の幅を最狭にすることが可能となる。
【００６６】
また、容器保持テーブルに、第１のフィルム容器に収納された第１の種類のフィルムの中心線が第１の種類のフィルムを現像処理するラインの中心線と一致する第１の位置及び第２のフィルム容器に収納された第２の種類のフィルムの中心線が第２の種類のフィルムを現像処理するラインの中心線と一致する第２の位置にそれぞれ停止するように、クリックストップ機構を設けることにより、容器保持テーブルの位置決めが容易になり、第１の種類のフィルムと第２の種類のフィルムが混在する場合であっても、フィルムの現像処理をスムーズに行うことが可能となる。
【００６７】
また、少なくとも容器保持テーブルの移動方向における第１のフィルム容器と第２のフィルム容器の最大寸法をほぼ等しくすることにより、第１のフィルム容器及び第２のフィルム容器をそれぞれ容器保持テーブルに安定して保持することが可能となる。
【００６８】
また、容器保持テーブルに、少なくとも第１のフィルム容器及び第２のフィルム容器のいずれか一方を固定するための固定部材を設けることにより、各フィルム容器から引き出されているフィルムの端部のカールがきつい場合であっても、フィルムの弾性によるフィルム容器の動きを抑制することが可能となる。
【図面の簡単な説明】
【図１】  本発明のフィルム引き出し機構を用いた写真フィルム自動現像装置の概略構成を示す断面図である。
【図２】  本発明の一実施形態のフィルム引き出し機構に１３５サイズフィルムカートリッジを装填し、フィルム引き出し中の状態を示す側部断面図である。
【図３】  上記フィルム引き出し機構により１３５サイズフィルムの終端を切断した状態を示す側部断面図である。
【図４】  上記フィルム引き出し機構に１３５サイズフィルムを装填した状態を示す平面図である。
【図５】  上記フィルム引き出し機構の容器保持テーブルの右側壁を示す図である。
【図６】  上記容器保持テーブルの左側壁の形状を示す図である。
【図７】  上記フィルム引き出し機構にＡＰＳフィルムカートリッジを装填した状態を示す側部断面図である。
【図８】    上記フィルム引き出し機構にＡＰＳフィルムカートリッジを装填した状態を示す平面図である。
【図９】  専用マガジンの構成を示す図であり、（ａ）はマガジンを全開した状態、（ｂ）はマガジンを閉じた状態、（ｃ）はフィルムの引き出しが可能なように、マガジンを半開した状態を示す。
【図１０】  従来のリーダレスタイプの写真フィルム自動現像装置の概略構成を示す図である。
【図１１】  １３５サイズフィルムのフィルムカートリッジとＡＰＳフィルムの専用マガジンを並列に配置した場合の各現像処理ラインの中心線間隔の寸法関係を示す図である。
【符号の説明】
１  ：フィルムカートリッジ
２  ：専用マガジン
３  ：フィルム
１０  ：容器保持テーブル
１１  ：クリックストップ機構
１２  ：容器保持テーブルの右側壁
１３  ：容器保持テーブルの左側壁
１４  ：アーム
２０  ：ガイドレール
２１  ：ガイド壁
３５  ：ガイド溝
３７  ：搬送ローラ
１００  ：フィルム引き出し部
１０１  ：カバー部材
１０２  ：旋回部材
１０３  ：フィルム搬送ローラ
１０４  ：従動ローラ
１０５  ：カバーロック機構
１０６  ：カッタ
１０７  ：フィルム検出センサ
１５０Ａ：当接レバー
１５０Ｂ：当接レバー
１５２  ：ピン
１５４  ：係止レバー
１５７  ：伝達レバー
２００  ：現像処理部
２１０  ：フィルム搬送路
３００  ：乾燥部
４００  ：フィルム端部処理部
５００  ：制御部
【図１】
0004075121.tif 000002
【図２】
0004075121.tif 000003
【図３】
0004075121.tif 000004
【図４】
0004075121.tif 000005
【図５】
0004075121.tif 000006
【図６】
0004075121.tif 000007
【図７】
0004075121.tif 000008
【図８】
0004075121.tif 000009
【図９】
0004075121.tif 000010
【図１０】
0004075121.tif 000011
【図１１】
0004075121.tif 000012